(57)【要約】【課題】システムを停止することなく適切にリジェクト処理を行なう紙葉類処理システムを提供すること。【解決手段】紙葉類処理装置は、連続性を示す連続情報が記録されこの連続情報に従って並べられた紙葉類を所定枚数単位で受け取り、受け取った紙葉類を検査し、検査結果に基づき不良と判定した紙葉類を排除し、正常と判定した紙葉類を受け取り順に並べて受け取り単位で排出する紙葉類処理手段と、連続情報に従って並べられた所定枚数の紙葉類の中で、不良判定により排除された紙葉類が挿入されていた位置を管理する管理手段とを備えている。【選択図】図１
2007219639.tif 000002
【特許請求の範囲】
【請求項１】
連続性を示す連続情報が記録されこの連続情報に従って並べられた紙葉類を所定枚数単位で受け取り、受け取った紙葉類を検査し、検査結果に基づき不良と判定した紙葉類を排除し、正常と判定した紙葉類を受け取り順に並べて受け取り単位で排出する紙葉類処理手段と、
連続情報に従って並べられた所定枚数の紙葉類の中で、不良判定により排除された紙葉類が挿入されていた位置を管理する管理手段と、
を備えたことを特徴とする紙葉類処理装置。
【請求項２】
連続性を示す連続情報が記録されこの連続情報に従って並べられた紙葉類を所定枚数単位で受け取り、受け取った紙葉類を検査し、検査結果に基づき不良と判定した紙葉類を排除し、正常と判定した紙葉類を受け取り順に並べて受け取り単位で排出する紙葉類処理手段と、
連続情報に従って並べられた所定枚数の紙葉類の中で、合計何枚の紙葉類が不良判定されたか、及び何番目の紙葉類が不良判定により排除されたかを管理する管理手段と、
を備えたことを特徴とする紙葉類処理装置。
【請求項３】
連続性を示す連続情報が記録されこの連続情報に従って並べられた紙葉類を所定枚数単位で受け取り、受け取った紙葉類に記録された連続情報を読み取るとともに受け取った紙葉類を検査し、検査結果に基づき不良と判定した紙葉類を排除し、正常と判定した紙葉類を受け取り順に並べて受け取り単位で排出する紙葉類処理手段と、
連続情報に従って並べられた所定枚数の紙葉類の中で、不良判定により排除された紙葉類に記録されていた連続情報を管理する管理手段と、
を備えたことを特徴とする紙葉類処理装置。
【請求項４】
連続性を示す連続情報が記録されこの連続情報に従って並べられた紙葉類を所定枚数単位で受け取り、受け取った紙葉類に記録された連続情報を読み取るとともに受け取った紙葉類を検査し、検査結果に基づき不良と判定した紙葉類を排除し、正常と判定した紙葉類を受け取り順に並べて受け取り単位で排出する紙葉類処理手段と、
前記連続情報の読み取り結果に基づき誤って排除された紙葉類の連続情報を推定し、不良判定により排除された紙葉類に記録されていた連続情報、及び誤って排除された紙葉類に記録されていた連続情報を管理する管理手段と、
を備えたことを特徴とする紙葉類処理装置。
【請求項５】
連続性を示す連続情報が記録されこの連続情報に従って並べられた紙葉類を所定枚数単位で受け取り、
受け取った紙葉類を検査し、
検査結果に基づき不良と判定した紙葉類を排除し、
検査結果に基づき正常と判定した紙葉類を受け取り順に並べて受け取り単位で排出し、
連続情報に従って並べられた所定枚数の紙葉類の中で、不良判定により排除された紙葉類が挿入されていた位置を管理する、
ことを特徴とする紙葉類処理方法。
【請求項６】
連続性を示す連続情報が記録されこの連続情報に従って並べられた紙葉類を所定枚数単位で受け取り、
受け取った紙葉類を検査し、
検査結果に基づき不良と判定した紙葉類を排除し、
検査結果に基づき正常と判定した紙葉類を受け取り順に並べて受け取り単位で排出し、
連続情報に従って並べられた所定枚数の紙葉類の中で、合計何枚の紙葉類が不良判定されたか、及び何番目の紙葉類が不良判定により排除されたかを管理する、
ことを特徴とする紙葉類処理方法。
【請求項７】
連続性を示す連続情報が記録されこの連続情報に従って並べられた紙葉類を所定枚数単位で受け取り、
受け取った紙葉類に記録された連続情報を読み取るとともに受け取った紙葉類を検査し、
検査結果に基づき不良と判定した紙葉類を排除し、
検査結果に基づき正常と判定した紙葉類を受け取り順に並べて受け取り単位で排出し、
連続情報に従って並べられた所定枚数の紙葉類の中で、不良判定により排除された紙葉類に記録されていた連続情報を管理する、
ことを特徴とする紙葉類処理方法。
【請求項８】
連続性を示す連続情報が記録されこの連続情報に従って並べられた紙葉類を所定枚数単位で受け取り、
受け取った紙葉類に記録された連続情報を読み取るとともに受け取った紙葉類を検査し、
検査結果に基づき不良と判定した紙葉類を排除し、
検査結果に基づき正常と判定した紙葉類を受け取り順に並べて受け取り単位で排出し、
連続情報の読み取り結果に基づき誤って排除された紙葉類の連続情報を推定し、不良判定により排除された紙葉類に記録されていた連続情報、及び誤って排除された紙葉類に記録されていた連続情報を管理する、
ことを特徴とする紙葉類処理方法。
【発明の詳細な説明】
【技術分野】
【０００１】
本発明は、連続した番号やバーコード等が印字され、既定枚数単位に投入される紙葉類の品質を一枚ずつ検査する紙葉類処理システム及び紙葉類処理方法に関する。
【背景技術】
【０００２】
連続した番号やバーコード等が印字され、既定枚数単位に投入される紙葉類の品質を一枚ずつ検査し、既定枚数毎に結束して排出する紙葉類検査システムが知られている（特許文献１参照）。
【０００３】
従来の紙葉類検査システムは、不良と判定した券をリジェクトすると、運転を自動停止する。その後、人手によりリジェクトした券の代わりにダミーの券が挿入される。従来の紙葉類検査システムは、上記した人手によるダミー券挿入処理を経てから、規定枚数単位で投入された紙葉類を規定枚数単位の束として排出する。その後、リジェクトした券の替わりとなる正券が作成し直され、ダミー券と作成し直された正券とが入れ替えられる。
【特許文献１】特開２００３−２２３６６６
【発明の開示】
【発明が解決しようとする課題】
【０００４】
従来の紙葉類検査システムは、不良券をリジェクトすると運転を自動停止し、人手によるダミー券の挿入処理を経てリジェクト処理を完了する。ダミー券を適切な位置に挿入しておかないと、リジェクトした券の替わりの正券の挿入位置が分からなくなってしまう。このような事情から、リジェクト処理に長時間を要し、稼働率を低下する原因となっていた。
【０００５】
本発明の目的は、上記課題を解決するためになされたものであり、システムを停止することなく適切にリジェクト処理を行なう紙葉類処理システム及び紙葉類処理方法を提供することにある。
【課題を解決するための手段】
【０００６】
この発明の紙葉類処理システム及び紙葉類処理方法は、以下のように構成されている。
【０００７】
（１）この発明は、連続性を示す連続情報が記録されこの連続情報に従って並べられた紙葉類を所定枚数単位で受け取り、受け取った紙葉類を検査し、検査結果に基づき不良と判定した紙葉類を排除し、正常と判定した紙葉類を受け取り順に並べて受け取り単位で排出する紙葉類処理手段と、連続情報に従って並べられた所定枚数の紙葉類の中で、不良判定により排除された紙葉類が挿入されていた位置を管理する管理手段とを備えたことを特徴とする紙葉類処理装置である。
【０００８】
（２）この発明は、連続性を示す連続情報が記録されこの連続情報に従って並べられた紙葉類を所定枚数単位で受け取り、受け取った紙葉類を検査し、検査結果に基づき不良と判定した紙葉類を排除し、検査結果に基づき正常と判定した紙葉類を受け取り順に並べて受け取り単位で排出し、連続情報に従って並べられた所定枚数の紙葉類の中で、不良判定により排除された紙葉類が挿入されていた位置を管理することを特徴とする紙葉類処理方法である。
【発明の効果】
【０００９】
本発明によれば、システムを停止することなく適切にリジェクト処理を行なう紙葉類処理システム及び紙葉類処理方法を提供できる。
【発明を実施するための最良の形態】
【００１０】
以下、図面を参照し、本発明の実施形態について説明する。
【００１１】
図１は、この発明の一例に係る紙葉類処理システムの概略構成を示すブロック図である。図２は、図１に示す紙葉類処理システムによる紙葉類処理の一例を示すフローチャートである。
【００１２】
図１に示すように、紙葉類処理システムは、紙葉類検査装置１、紙葉類検査端末２、データベース・サーバ３、及びプリンタ４などを備えている。紙葉類検査装置１、紙葉類検査端末２、データベース・サーバ３、及びプリンタ４は、ＬＡＮ等により接続されている。
【００１３】
図２に示すように、紙葉類検査装置１は、連続性を示す連続情報（連続した番号やバーコード等）が記録されこの連続情報に従って（番号順に）並べられた紙葉類を所定枚数単位（１０００枚単位）で受け取り（ＳＴ１０１）、受け取った紙葉類を一枚ずつ取り出して検査し（ＳＴ１０２）、検査結果に基づき不良と判定した場合には（ＳＴ１０３、ＹＥＳ）、不良判定の発生位置をリストアップし（ＳＴ１０４）、不良判定された紙葉類を排除する（ＳＴ１０５）。また、紙葉類検査装置１は、検査結果に基づき正常と判定した場合には（ＳＴ１０３、ＮＯ）、正常判定の発生位置をリストアップし（ＳＴ１０６）、正常判定された紙葉類を受け取り順に整列する（ＳＴ１０７）。紙葉類検査装置１は、受け取った全ての紙葉類に対する検査を継続し（ＳＴ１０２〜ＳＴ１０７）、受け取った全ての紙葉類に対する検査が終了すると（ＳＴ１０８、ＹＥＳ）、正常判定され受け取り順に整列された紙葉類を受け取り単位（所定枚数から不良券を除いた数）で結束して排出する（ＳＴ１０９）。
【００１４】
また、この紙葉類検査装置１は、検査結果データ（ＳＴ１０４、ＳＴ１０６でリストアップしたデータ）を紙葉類検査端末２へ送信する。この検査結果データには、例えば、連続情報に従って並べられた所定枚数の紙葉類の中で、不良と判定され排除された紙葉類が挿入されていた位置及び正常と判定された紙葉類が整列されている位置を示すデータが含まれる。つまり、検査結果データには、連続情報に従って並べられた所定枚数の紙葉類の中で、合計何枚の紙葉類が不良判定されたか、及び何番目の紙葉類が不良判定により排除されたかを示すデータが含まれる。
【００１５】
紙葉類検査端末２は、紙葉類検査装置１から送信される検査結果データを受信し編集してデータベース・サーバ３に登録する。つまり、データベース・サーバ３は、紙葉類検査装置１から送信される検査結果データを保存・管理する。プリンタ４は、紙葉類検査端末２により編集された検査結果データをジャーナル等へプリントする（ＳＴ１１０）。
【００１６】
図３は、データベース・サーバ３により保存・管理される検査結果データの一例を示す図であり、図４は、プリンタ４により出力される検査結果データの一例を示す図である。
【００１７】
図３に示す検査結果データは、束番号００１に含まれる全ての紙葉類が正常であったことを示し、束番号００２に含まれる第Ｎ番目の紙葉類が排除されたことを示し、束番号００３に含まれる全ての紙葉類が正常であったことを示し、束番号００４に含まれる第Ｎ１番目と第Ｍ１番目の紙葉類が排除されたことを示し、束番号００５に含まれる第Ｎ２番目とＭ２番目の紙葉類が排除されたことを示す。さらに、図３に示す検査結果データは、束番号００１、００３、００５に含まれる紙葉類の総数に対して、束番号００２、００４に含まれる紙葉類の総数が少ない（１枚少ない）ことを示す。このことから、例えば、束番号００２、００４に含まれる紙葉類を一枚ずつ取り出す際（排除する際）に、二枚重ねて取り出してしまったことなどを予測することができる。
【００１８】
図４に示す検査結果データは、束番号００１に含まれる全ての紙葉類が正常であったことを示し、束番号００２に含まれる１枚の紙葉類（９８６番目の紙葉類）が排除されたことを示し、束番号００３に含まれる全ての紙葉類が正常であったことを示し、束番号００４に含まれる２枚の紙葉類（００３番目と９９４番目の紙葉類）が排除されたことを示し、束番号００５に含まれる２枚の紙葉類（００８番目と９９０番目の紙葉類）が排除されたことを示す。
【００１９】
操作者は、図４に示す検査結果データがプリントされたジャーナルを見ることにより排出された束に含まれる紙葉類が全て正常であったか、或いは排出された束に排除された紙葉類が含まれているか、さらには排除された紙葉類がどこに含まれていたかなどを判断できる。これにより、排除された紙葉類の番号を容易に見つけることができる。操作者は、検査結果データに基づき、排除された紙葉類の替わりとなる正しい紙葉類を作成し直し、不良束中の排除された紙葉類が存在していた位置へ、作成し直した正しい紙葉類を挿入することができる。
【００２０】
次に、図５に示すフローチャートを参照し、紙葉類に記録された連続情報を読み取り、紙葉類を検査するケースについて説明する。紙葉類処理システムの基本構成は、図１に示す通りである。但し、紙葉類検査装置１は、受け取った紙葉類に記録された連続情報を読み取る。つまり、紙葉類検査装置１は、連続情報が記録されこの連続情報に従って並べられた紙葉類を所定枚数単位で受け取り（ＳＴ２０１）、受け取った紙葉類に記録された連続情報を読み取るとともに受け取った紙葉類を検査し（ＳＴ２０２）、検査結果に基づき不良と判定した場合には（ＳＴ２０３、ＹＥＳ）、不良判定の紙葉類から読み取った連続情報をリストアップし（ＳＴ１０４）、不良判定された紙葉類を排除する（ＳＴ１０５）。また、紙葉類検査装置１は、連続する紙葉類から読み取った連続情報を比較し二重取りをチェックし、二重取りされたと予測される紙葉類の連続情報を推定し（ＳＴ２０６、ＹＥＳ）、二重取りされたと予測される紙葉類の連続情報をリストアップする（ＳＴ２０７）。例えば、紙葉類検査装置１は、連続情報ｎの次に、連続情報ｎ＋１が検出できなければ、連続情報ｎと連続情報ｎ＋１の紙葉類を二重取りしてしまったと判断する（連続情報ｎの紙葉類を排除する際に、誤って連続情報ｎ＋１の紙葉類を排除してしまったと推測する）。また、紙葉類検査装置１は、検査結果に基づき正常と判定した場合には（ＳＴ２０６、ＮＯ）、正常判定された紙葉類から読み取った連続情報をリストアップし（ＳＴ１０８）、正常判定された紙葉類を受け取り順に整列する（ＳＴ２０９）。紙葉類検査装置１は、受け取った全ての紙葉類に対する検査を継続し（ＳＴ２０２〜ＳＴ２０９）、受け取った全ての紙葉類に対する検査が終了すると（ＳＴ２１０、ＹＥＳ）、正常判定され受け取り順に整列された紙葉類を受け取り単位（所定枚数から不良券を除いた数）で結束して排出する（ＳＴ２１１）。
【００２１】
また、この紙葉類検査装置１は、検査結果データ（ＳＴ２０４、ＳＴ２０７、ＳＴ２０８でリストアップしたデータ）を紙葉類検査端末２へ送信する。この検査結果データには、例えば、連続情報に従って並べられた所定枚数の紙葉類の中で、不良と判定され排除された紙葉類が挿入されていた位置とその紙葉類の連続情報、二重取りされた可能性のある紙葉類が挿入されていた位置とその紙葉類の連続情報、及び正常と判定された紙葉類が整列されている位置とその紙葉類の連続情報を示すデータが含まれる。つまり、検査結果データには、連続情報に従って並べられた所定枚数の紙葉類の中で、合計何枚の紙葉類が不良判定されたか、何番目の紙葉類が不良判定により排除されたか、不良判定により排除された紙葉類の連続情報は何か、何番目の紙葉類が二重取りされたか、二重取りされた紙葉類の連続情報は何かを示すデータが含まれる。
【００２２】
紙葉類検査端末２は、紙葉類検査装置１から送信される検査結果データを受信し編集してデータベース・サーバ３に登録する。つまり、データベース・サーバ３は、紙葉類検査装置１から送信される検査結果データを保存・管理する。プリンタ４は、紙葉類検査端末２により編集された検査結果データをジャーナル等へプリントする（ＳＴ２１２）。
【００２３】
このケースでは、図６及び図７に示すような検査結果データを得ることができる。図６は、データベース・サーバ３により保存・管理される検査結果データ（連続情報の読み取り有り）の一例を示す図であり、図７は、プリンタ４により出力される検査結果データ（連続情報の読み取り有り）の一例を示す図である。
【００２４】
図６に示す検査結果データは、束番号００１に含まれる全ての紙葉類が正常であったことを示し、束番号００２に含まれる第Ｎ番目及び第Ｎ＋１番目の紙葉類が排除されたことを示し（二重取りにより第Ｎ番目及び第Ｎ＋１番目の紙葉類が排除されたことを示し）、束番号００３に含まれる全ての紙葉類が正常であったことを示し、束番号００４に含まれる第Ｎ１番目と第Ｍ１番目及び第Ｍ１＋１番目の紙葉類が排除されたことを示し（二重取りにより第Ｍ１番目及び第Ｍ１＋１番目の紙葉類が排除されたことを示し）、束番号００５に含まれる第Ｎ２番目とＭ２番目の紙葉類が排除されたことを示す。
【００２５】
図７に示す検査結果データは、束番号００１に含まれる全ての紙葉類が正常であったことを示し、束番号００２に含まれる２枚の紙葉類（９８６番目と９８７番目の紙葉類）が排除されたことを示し、束番号００３に含まれる全ての紙葉類が正常であったことを示し、束番号００４に含まれる３枚の紙葉類（００３番目と９９４番目と９９５番目の紙葉類）が排除されたことを示し、束番号００５に含まれる２枚の紙葉類（００８番目と９９０番目の紙葉類）が排除されたことを示す。
【００２６】
操作者は、図７に示す検査結果データがプリントされたジャーナルを見ることにより排出された束に含まれる紙葉類が全て正常であったか、或いは排出された束に排除された紙葉類が含まれているか、さらには排除された紙葉類の番号などを判断できる。操作者は、検査結果データに基づき、排除された紙葉類の替わりとなる正しい紙葉類を作成し直し、不良束中の排除された紙葉類が存在していた位置へ、作成し直した正しい紙葉類を挿入することができる。
【００２７】
本発明の紙葉類処理システムは、排除した紙葉類の位置を管理し、受け取り単位（所定枚数から排除した紙葉類を除いた数）で結束して排出するので、システムを停止することなく紙葉類の処理を続行できる。つまり、人手によるダミーの券の挿入等の作業も不要となる。排除した紙葉類の位置は、ジャーナル等で確認することができる。
【００２８】
また、本発明の紙葉類処理システムは、排除した紙葉類の連続情報を管理し、受け取り単位（所定枚数から排除した紙葉類を除いた数）で結束して排出するので、システムを停止することなく紙葉類の処理を続行できる。つまり、人手によるダミーの券の挿入等の作業も不要となる。排除した紙葉類の連続情報（及び二重取りされた紙葉類の連続情報）は、ジャーナル等で確認することができる。
【００２９】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００３０】
【図１】この発明の一例に係る紙葉類処理システムの概略構成を示すブロック図である。
【図２】図１に示す紙葉類処理システムによる紙葉類処理の一例を示すフローチャートである。
【図３】データベース・サーバにより保存・管理される検査結果データの一例を示す図である。
【図４】プリンタにより出力される検査結果データの一例を示す図である。
【図５】紙葉類に記録された連続情報を読み取って紙葉類を検査する紙葉類処理の一例を示すフローチャートである。
【図６】データベース・サーバにより保存・管理される検査結果データ（連続情報の読み取り有り）の一例を示す図である。
【図７】プリンタにより出力される検査結果データ（連続情報の読み取り有り）の一例を示す図である。
【符号の説明】
【００３１】
１…紙葉類検査装置、２…紙葉類検査端末、３…データベース・サーバ、４…プリンタ
【図１】
2007219639.tif 000003
【図２】
2007219639.tif 000004
【図３】
2007219639.tif 000005
【図４】
2007219639.tif 000006
【図５】
2007219639.tif 000007
【図６】
2007219639.tif 000008
【図７】
2007219639.tif 000009